(57)【要約】【課題】ユーザが筆記具の属性を任意に指定できる情報入力装置及び制御プログラムを提供する。【解決手段】読取装置のセンサ基板は、検出領域を含む。検出領域は、電子ペンの属性に夫々対応付けられた複数の属性領域を含む。読取装置では、電子ペンの周波数が、ペンＩＤとして特定される（Ｓ１３）。そして、複数の属性領域に対応する複数の指示領域のうち、線画が記入された指示領域が、特定される（Ｓ１５、Ｓ１７）。特定されたペンＩＤと、特定された指示領域に対応する属性とが、関連付けられて記憶される（Ｓ２１、Ｓ２３）。【選択図】図５
2016189098.tif 000002
【特許請求の範囲】
【請求項１】
筆記具の識別情報を送信可能な前記筆記具の属性に夫々対応付けられた複数の属性領域を含む検出領域を有し、前記検出領域に接触又は近接した前記筆記具の位置である検出位置を検出する検出手段と、
前記筆記具が送信した前記識別情報を特定する第一特定手段と、
前記検出手段によって検出された前記検出位置に基づいて、前記複数の属性領域のうちで前記検出位置を含む前記属性領域を特定する第二特定手段と、
前記第一特定手段によって特定された前記識別情報と、前記第二特定手段によって特定された前記属性領域に対応する前記属性とが関連付けられた属性データを生成する生成手段と
を備えたことを特徴とする情報入力装置。
【請求項２】
前記検出位置に基づいて、前記筆記具によって記入された線画に対応する前記検出位置を示す座標情報を含む線画データを取得する取得手段を更に備え、
前記属性は、前記線画の色及び機能の少なくとも一つを、前記線画の属性として示し、
前記取得手段によって取得された前記線画データと、前記生成手段によって生成された前記属性データとに基づいて、前記線画の前記属性を決定する決定手段を更に備えたことを特徴とする請求項１に記載の情報入力装置。
【請求項３】
前記検出手段は、紙媒体に設けられた複数の指示領域と前記複数の属性領域とが対向するように、前記検出領域上に前記紙媒体を載置可能であり、
前記線画は、前記筆記具によって前記紙媒体に記入された前記線画であることを特徴とする請求項２に記載の情報入力装置。
【請求項４】
前記決定手段によって前記線画の前記属性が決定された後、前記検出手段によって検出された前記検出位置に基づいて、前記第二特定手段が前記属性領域を特定し、且つ、前記取得手段が前記線画データを対象線画データとして取得した場合、前記生成手段は、前記属性データを対象属性データとして生成し、前記決定手段は、前記対象線画データと前記対象属性データとに基づいて、前記対象線画データが示す前記線画の前記属性を決定することを特徴とする請求項２又は３に記載の情報入力装置。
【請求項５】
前記属性データを生成する指示を受け付けたか否かを判断する判断手段を更に備え、
前記判断手段によって前記指示が受け付けられたと判断されたことに応じて、前記第一特定手段が前記識別情報を特定し、前記第二特定手段が前記属性領域を特定し、前記生成手段が前記属性データを生成することを特徴とする請求項１から４の何れかに記載の情報入力装置。
【請求項６】
前記筆記具は複数あり、
前記第一特定手段は、前記複数の筆記具の夫々が送信した前記識別情報を特定し、
前記第二特定手段は、前記複数の筆記具の夫々の前記属性に対応付けられた前記属性領域を特定し、
前記生成手段は、前記複数の筆記具の夫々の前記識別情報と前記属性とが関連付けられた前記属性データを生成し、
前記生成手段によって生成された前記属性データのテーブルを記憶する記憶手段を更に備えたことを特徴とする請求項１から５の何れかに記載の情報入力装置。
【請求項７】
筆記具の識別情報を送信可能な前記筆記具の属性に夫々対応付けられた複数の属性領域を含む検出領域を有し、前記検出領域に接触又は近接した前記筆記具の位置である検出位置を検出する検出手段を備えた情報入力装置のコンピュータに実行させるための制御プログラムであって、
前記筆記具が送信した前記識別情報を特定する第一特定ステップと、
前記検出手段によって検出された前記検出位置に基づいて、前記複数の属性領域のうちで前記検出位置を含む前記属性領域を特定する第二特定ステップと、
前記第一特定ステップで特定された前記識別情報と、前記第二特定ステップで特定された前記属性領域に対応する前記属性とが関連付けられた属性データを生成する生成ステップと
をコンピュータに実行させるための制御プログラム。
【発明の詳細な説明】
【技術分野】
【０００１】
本発明は、筆記具の属性を判断する情報入力装置及び制御プログラムに関する。
【背景技術】
【０００２】
筆記具の位置を示すデータを取得可能な情報入力装置が知られている（例えば、特許文献１）。特許文献１に開示の座標入力装置は、座標読み取りボードと筆記具とを備える。座標読み取りボードは、筆記具の位置を示す座標を読み取る。筆記具は、筆記具の属性（例えば、色）を示す信号を送出する。筆記具が送出する信号の周波数は、筆記具の属性により異なる。座標入力装置は、筆記具が送出した信号の周波数に基づき、筆記具の属性を判断する。
【先行技術文献】
【特許文献】
【０００３】
【特許文献１】特開２００２−１０８５５２号公報
【発明の概要】
【発明が解決しようとする課題】
【０００４】
上記座標入力装置を用いる場合、予め筆記具の属性と筆記具が送出する信号の周波数とが、関連付けて記憶される必要がある。この場合、ユーザが、筆記具の属性を任意に指定できない。
【０００５】
本発明の目的は、ユーザが筆記具の属性を任意に指定できる情報入力装置及び制御プログラムを提供することである。
【課題を解決するための手段】
【０００６】
本発明の第一態様に係る情報入力装置は、筆記具の識別情報を送信可能な前記筆記具の属性に夫々対応付けられた複数の属性領域を含む検出領域を有し、前記検出領域に接触又は近接した前記筆記具の位置である検出位置を検出する検出手段と、前記筆記具が送信した前記識別情報を特定する第一特定手段と、前記検出手段によって検出された前記検出位置に基づいて、前記複数の属性領域のうちで前記検出位置を含む前記属性領域を特定する第二特定手段と、前記第一特定手段によって特定された前記識別情報と、前記第二特定手段によって特定された前記属性領域に対応する前記属性とが関連付けられた属性データを生成する生成手段とを備える。
【０００７】
第一態様によれば、情報入力装置は、筆記具の識別情報と、検出位置を含む属性領域とを特定する。情報入力装置は、筆記具の識別情報と、属性領域に対応する属性とが関連付けられた属性データを生成する。従って、ユーザは、検出領域内の属性領域に筆記具を近付けることにより、筆記具の属性を任意に指定できる。
【０００８】
第一態様に係る情報入力装置は、前記検出位置に基づいて、前記筆記具によって記入された線画に対応する前記検出位置を示す座標情報を含む線画データを取得する取得手段を更に備え、前記属性は、前記線画の色及び機能の少なくとも一つを、前記線画の属性として示し、前記取得手段によって取得された前記線画データと、前記生成手段によって生成された前記属性データとに基づいて、前記線画の前記属性を決定する決定手段を更に備えてもよい。この場合、情報入力装置は、線画データと属性データとに基づいて、線画の属性を決定する。従って、ユーザは、ユーザが記入した線画の属性を任意に指定できる。
【０００９】
第一態様に係る情報入力装置では、前記検出手段は、紙媒体に設けられた複数の指示領域と前記複数の属性領域とが対向するように、前記検出領域上に前記紙媒体を載置可能であり、前記線画は、前記筆記具によって前記紙媒体に記入された前記線画であってもよい。この場合、ユーザは、筆記具を用いて、紙媒体に設けられた指示領域に線画を記入することにより、筆記具の属性を指定できる。
【００１０】
第一態様に係る情報入力装置では、前記決定手段によって前記線画の前記属性が決定された後、前記検出手段によって検出された前記検出位置に基づいて、前記第二特定手段が前記属性領域を特定し、且つ、前記取得手段が前記線画データを対象線画データとして取得した場合、前記生成手段は、前記属性データを対象属性データとして生成し、前記決定手段は、前記対象線画データと前記対象属性データとに基づいて、前記対象線画データが示す前記線画の前記属性を決定してもよい。この場合、情報入力装置は、記入された線画の属性が決定された後、更に属性領域が特定され、更に記入された線画の対象線画データが取得されると、更に記入された線画の属性を決定できる。従って、ユーザは、線画を記入する度に、線画の属性を指定できる。
【００１１】
第一態様に係る情報入力装置は、前記属性データを生成する指示を受け付けたか否かを判断する判断手段を更に備え、前記判断手段によって前記指示が受け付けられたと判断されたことに応じて、前記第一特定手段が前記識別情報を特定し、前記第二特定手段が前記属性領域を特定し、前記生成手段が前記属性データを生成してもよい。この場合、情報入力装置は、属性データを生成する指示を受け付けた場合に、属性データを生成する。従って、ユーザは、属性データを生成する指示を情報入力装置に入力した場合に、筆記具の属性を指定できる。
【００１２】
第一態様に係る情報入力装置では、前記筆記具は複数あり、前記第一特定手段は、前記複数の筆記具の夫々が送信した前記識別情報を特定し、前記第二特定手段は、前記複数の筆記具の夫々の前記属性に対応付けられた前記属性領域を特定し、前記生成手段は、前記複数の筆記具の夫々の前記識別情報と前記属性とが関連付けられた前記属性データを生成し、前記生成手段によって生成された前記属性データのテーブルを記憶する記憶手段を更に備えてもよい。この場合、情報入力装置は、複数の筆記具の夫々の識別情報と属性とが関連付けられた属性データを生成し、記憶手段に記憶する。情報入力装置は、記憶手段に記憶された属性データのテーブルを参照することにより、夫々の筆記具の属性を判断できる。
【００１３】
本発明の第二態様に係る制御プログラムは、筆記具の識別情報を送信可能な前記筆記具の属性に夫々対応付けられた複数の属性領域を含む検出領域を有し、前記検出領域に接触又は近接した前記筆記具の位置である検出位置を検出する検出手段を備えた情報入力装置のコンピュータに実行させるための制御プログラムであって、前記筆記具が送信した前記識別情報を特定する第一特定ステップと、前記検出手段によって検出された前記検出位置に基づいて、前記複数の属性領域のうちで前記検出位置を含む前記属性領域を特定する第二特定ステップと、前記第一特定ステップで特定された前記識別情報と、前記第二特定ステップで特定された前記属性領域に対応する前記属性とが関連付けられた属性データを生成する生成ステップとをコンピュータに実行させる。第二態様によれば、第一態様と同様の効果を奏することができる。
【図面の簡単な説明】
【００１４】
【図１】手書入力システム１の概要を示す図である。
【図２】手書入力システム１の電気的構成を示すブロック図である。
【図３】テーブル３０１を示す図である。
【図４】用紙１２１の正面図である。
【図５】第一実施形態に係る第一設定処理のフローチャートである。
【図６】第二設定処理のフローチャートである。
【図７】表表紙１１０Ｌの裏面１１１の正面図である。
【図８】用紙１２３の正面図である。
【図９】第二実施形態に係る第一設定処理のフローチャートである。
【発明を実施するための形態】
【００１５】
本発明を具体化した実施の形態について、図面を参照して説明する。なお、参照する図面は、本発明が採用しうる技術的特徴を説明するために用いられるものであり、記載されている装置の構成などは、それのみに限定する趣旨ではなく、単なる説明例である。
【００１６】
図１を参照して、手書入力システム１の概要を説明する。以下の説明では、図１の左上側、右下側、上側、下側、右上側、左下側を、夫々、読取装置２及び紙媒体１００の左側、右側、前側、後側、上側、下側とする。
【００１７】
図１に示すように、手書入力システム１は、読取装置２、電子ペン３、スマートフォン１９等を主に備える。読取装置２は、折り畳んで携行可能な、薄型軽量の手書入力装置である。手書入力システム１では、ユーザは電子ペン３を用いて、読取装置２に装着された紙媒体１００の用紙１２０に、線画を記入する。線画は、文字、数字、記号、図形等を含む。読取装置２は、電子ペン３の位置を検出する。読取装置２は、経時的に検出された電子ペン３の複数の位置に基づき、電子ペン３の軌跡を特定する。スマートフォン１９は、読取装置２で特定された電子ペン３の軌跡のデータに基づき、用紙１２０に筆記された線画を電子化した画像データを生成し、記憶する。
【００１８】
読取装置２は、左右一対の左読取装置２Ｌ及び右読取装置２Ｒと、カバー４とを含む。左読取装置２Ｌ及び右読取装置２Ｒは夫々、矩形薄板状である。左読取装置２Ｌ及び右読取装置２Ｒは、カバー４の前面に左右方向に見開き可能に配置される。左読取装置２Ｌ及び右読取装置２Ｒは、フラットケーブル（図示略）により電気的に接続されている。カバー４の左側には、袋状の袋部４Ａが設けられる。左読取装置２Ｌは、袋部４Ａ内に差し込まれることで、カバー４に取り外し可能に装着される。右読取装置２Ｒは、例えば両面テープ又は粘着性を有する樹脂フィルム等により、カバー４の右前面に取り外し可能に貼り付けられる。
【００１９】
紙媒体１００は、左右方向に見開き可能な冊子状である。紙媒体１００では、一対の表紙（表表紙１１０Ｌ及び裏表紙１１０Ｒ）と複数の用紙１２０とが、各々の縁部の一部で綴じられている。一例として、紙媒体１００はＡ５サイズのノートである。表表紙１１０Ｌが左読取装置２Ｌの前面に載置され、且つ、裏表紙１１０Ｒが右読取装置２Ｒの前面に載置されるように、紙媒体１００は読取装置２に装着される。紙媒体１００は、例えば両面テープ又は粘着性を有する樹脂フィルム等により、読取装置２に取り外し可能に装着される。紙媒体１００が読取装置２に位置決めされた状態で、紙媒体１００は読取装置２に装着される。左読取装置２Ｌ及び右読取装置２Ｒは夫々、表表紙１１０Ｌ及び裏表紙１１０Ｒと一体的に移動可能である。
【００２０】
なお、読取装置２は、左読取装置２Ｌ及び右読取装置２Ｒの何れかのみを備えてもよい。この場合、読取装置２に装着可能な紙媒体１００は、例えばＡ５サイズのレポート用紙である。
【００２１】
ユーザは電子ペン３を用いて、読取装置２に装着された紙媒体１００の用紙１２０に線画を記入できる。電子ペン３は、公知の電磁誘導式の電子ペンである。電子ペン３は、筒体３０、芯体３１、コイル３２、可変容量コンデンサ３３、基板３４、コンデンサ３５、及びインク収納部３６を主に備える。
【００２２】
筒体３０は略円筒状で、芯体３１の一部、コイル３２、可変容量コンデンサ３３、基板３４、コンデンサ３５、及びインク収納部３６を内部に収容する。芯体３１は、電子ペン３の先端部に設けられる。芯体３１は、図示外の弾性部材により、電子ペン３の先端側に付勢されている。芯体３１の先端部は、筒体３０の外部に突出している。芯体３１の後端側は、インク収納部３６に接続されている。インク収納部３６はインクを収納し、芯体３１にインクを供給する。ユーザが電子ペン３を用いて用紙１２０に記入すると、インクにより用紙１２０に線画が形成される。
【００２３】
コイル３２は、インク収納部３６の周囲に巻回された状態で、芯体３１と可変容量コンデンサ３３との間に保持されている。可変容量コンデンサ３３は、基板３４により、電子ペン３の内部に固定されている。基板３４には、コンデンサ３５が搭載されている。コンデンサ３５及び可変容量コンデンサ３３は、コイル３２に並列に接続され、周知の共振（同調）回路を構成する。
【００２４】
スマートフォン１９は、タッチパネル１９１及びディスプレイ１９２を備える。タッチパネル１９１は、各種指示を入力するために使用される。ディスプレイ１９２は、画像データに対応する画像を表示可能である。なお、スマートフォン１９の代わりに、汎用ＰＣやタブレットＰＣが用いられてもよい。
【００２５】
図２を参照して、手書入力システム１の電気的構成を説明する。読取装置２は、センサ基板７Ｌ、７Ｒ、メイン基板２０、センサ制御基板２８、２９、及び入力部２５を備える。センサ基板７Ｌ、７Ｒは夫々、左読取装置２Ｌ、右読取装置２Ｒの内部に設けられる。入力部２５は、右読取装置２Ｒに設けられる。
【００２６】
メイン基板２０は、ＣＰＵ２１、ＲＡＭ２２、フラッシュＲＯＭ２３、及び無線通信部２４を備える。ＲＡＭ２２、フラッシュＲＯＭ２３、及び無線通信部２４は、ＣＰＵ２１に電気的に接続されている。ＣＰＵ２１は読取装置２の制御を行う。ＲＡＭ２２は、演算データ等の各種データを一時的に記憶する。フラッシュＲＯＭ２３は、ＣＰＵ２１が読取装置２を制御するために実行する各種プログラムを記憶する。フラッシュＲＯＭ２３は、電子ペン３の軌跡を示すストロークデータを記憶する。フラッシュＲＯＭ２３は、後述の位置特定テーブル及びテーブル３０１（図３参照）を記憶する。無線通信部２４は、外部の電子機器と近距離無線通信を実行するためのコントローラである。
【００２７】
入力部２５は、ＣＰＵ２１に電気的に接続されている。入力部２５は、読取装置２に対する指示を入力するためのスイッチを含む。詳細には、入力部２５は、電源スイッチ及び特殊モードスイッチを含む。電源スイッチは、読取装置２に対して、電源のＯＮ／ＯＦＦの指示を入力するためのスイッチである。特殊モードスイッチは、読取装置２に対して、特殊モードでの動作の指示を入力するためのスイッチである。
【００２８】
センサ基板７Ｌ、７Ｒには、左右方向（Ｘ軸方向）及び上下方向（Ｙ軸方向）の各々に、細長いループコイルが多数配列されている。センサ基板７Ｌは、センサ制御基板２８のＡＳＩＣ２８Ａに電気的に接続されている。ＡＳＩＣ２８Ａは、電子ペン３による記入動作がセンサ基板７Ｌ上で行われた場合に、電子ペン３の位置を座標情報として検出する。センサ基板７Ｒは、センサ制御基板２９のＡＳＩＣ２９Ａに電気的に接続されている。ＡＳＩＣ２９Ａは、電子ペン３による記入動作がセンサ基板７Ｒ上で行われた場合に、電子ペン３の位置を座標情報として検出する。ＡＳＩＣ２８Ａ、２９Ａのうち、マスター側のＡＳＩＣ２８ＡはＣＰＵ２１に直接接続され、スレーブ側のＡＳＩＣ２９ＡはＡＳＩＣ２８Ａを介してＣＰＵ２１に接続されている。
【００２９】
センサ基板７Ｌ、７Ｒの夫々は、検出領域を含む。検出領域は、センサ基板７Ｌ、７Ｒの夫々において、ループコイルが配列されている部分に対応する領域である。センサ基板７Ｌの検出領域及びセンサ基板７Ｒの検出領域は、同一の構成を有する。従って、以下の説明では、センサ基板７Ｌの検出領域についてのみ説明し、センサ基板７Ｒの検出領域の説明は省略する。
【００３０】
線画データが取得される原理を、概略的に説明する。ＣＰＵ２１はＡＳＩＣ２８Ａ、２９Ａを制御して、センサ基板７Ｌ、７Ｒの各々のループコイルに、一本ずつ特定の周波数の電流（励磁用送信電流）を流す。これにより、センサ基板７Ｌ、７Ｒの各々のループコイルから磁界が発生する。この状態で、例えばユーザが電子ペン３を用いて、読取装置２に固定された紙媒体１００の用紙１２０に線画を記入する動作を行うと、電子ペン３はセンサ基板７Ｌ、７Ｒに近接する。そのため、電子ペン３の共振回路は電磁誘導によって共振し、誘導磁界を生じる。
【００３１】
次に、ＣＰＵ２１はＡＳＩＣ２８Ａ、２９Ａを制御して、センサ基板７Ｌ、７Ｒの各々のループコイルからの磁界の発生を停止させる。センサ基板７Ｌ、７Ｒの各々のループコイルは、電子ペン３の共振回路から発せられる誘導磁界を受信する。ＣＰＵ２１はＡＳＩＣ２８Ａ、２９Ａを制御して、センサ基板７Ｌ、７Ｒの各々のループコイルに流れる信号電流（受信電流）を検出させる。ＡＳＩＣ２８Ａ、２９Ａがこの動作を全てのループコイルについて一本ずつ実行することで、受信電流に基づいて電子ペン３の位置が座標情報として検出される。
【００３２】
電子ペン３を用いて用紙１２０に線画が記入されている状態では、芯体３１に筆圧が付与される。コイル３２のインダクタンスは、芯体３１に付与される筆圧に応じて変化する。これにより、芯体３１に付与される筆圧に応じて、電子ペン３の共振回路の共振周波数（以下、単に周波数という。）が変化する。ＣＰＵ２１は、電子ペン３の周波数の変化（位相変化）を検出して、電子ペン３に付与された筆圧を特定する。ＣＰＵ２１は、特定した筆圧によって、用紙１２０に線画が記入されている状態であるか否かを検出できる。
【００３３】
ユーザは、用紙１２０に線画を記入する場合に、複数の電子ペン３を用いてもよい。複数の電子ペン３が用いられる場合、電子ペン３の周波数は、電子ペン３毎に異なる。例えば、コイル３２の巻き数が異なることにより、電子ペン３の周波数は異なる。ＣＰＵ２１は、例えば、用紙１２０に線画が記入されている時の電子ペン３の周波数に基づき、電子ペン３を特定できる。
【００３４】
位置特定テーブルは、読取装置２で検出可能な電子ペン３の全ての座標点と、読取装置２に固定された表表紙１１０Ｌ、裏表紙１１０Ｒ、及び用紙１２０の夫々における座標点との対応を定めるテーブルである。ＣＰＵ２１は、位置特定テーブルを参照することで、検出した電子ペン３の座標点に基づき、表表紙１１０Ｌ、裏表紙１１０Ｒ、及び用紙１２０の夫々における線画の記入位置を特定できる。
【００３５】
第一実施形態では、ＣＰＵ２１は、検出した電子ペン３の座標点に基づき、用紙１２１における記入領域１２２、第一指示領域１３０、第二指示領域１４０、及び第三指示領域１５０（図４参照）の何れに線画が記入されているかを判断できる。記入領域１２２に線画が記入されている場合、ＣＰＵ２１は、一の連続する線画毎に線画データを取得し、ＲＡＭ２２に一時記憶する。線画データは、電子ペン３が用紙１２０に接触してから離れるまでの一回の記入動作における、電子ペン３の軌跡を示す複数の座標情報を含む。座標情報は、絶対座標及び相対座標の何れを示してもよい。
【００３６】
第三指示領域１５０に線画が記入されている場合、ＣＰＵ２１はＲＡＭ２２に一時記憶されている線画データに基づき、ストロークデータを生成してフラッシュＲＯＭ２３に保存する。ストロークデータは、記入領域１２２に記入されている線画の一部又は全体を示す座標情報を含む。
【００３７】
第二実施形態では、ＣＰＵ２１は、検出した電子ペン３の座標点に基づき、表表紙１１０Ｌの裏面１１１における、第一指示領域１６０、第二指示領域１７０、及び第三指示領域１８０（図７参照）の何れに線画が記入されているか否かを判断できる。また、ＣＰＵ２１は、検出した電子ペン３の座標点に基づき、用紙１２３における記入領域１２４及び第四指示領域１９０の何れに線画が記入されているかを判断できる。記入領域１２４に線画が記入されている場合、ＣＰＵ２１は、一の連続する線画毎に線画データを取得し、ＲＡＭ２２に一時記憶する。
【００３８】
第四指示領域１９０に線画が記入されている場合、ＣＰＵ２１はＲＡＭ２２に一時記憶されている線画データに基づき、ストロークデータを生成してフラッシュＲＯＭ２３に保存する。ストロークデータは、記入領域１２４に記入されている線画の一部又は全体を示す座標情報を含む。
【００３９】
検出領域は、電子ペン３の属性に夫々対応付けられた複数の属性領域を含む。第一実施形態と第二実施形態とで、複数の属性領域は異なる。第一実施形態では、紙媒体１００が読取装置２に適正位置で装着されると、複数の属性領域と、第一指示領域１３０の指示領域１３１、１３２、及び第二指示領域１４０の指示領域１４１〜１４４（図４参照）とが、夫々、位置的に対応する。第二実施形態では、紙媒体１００が読取装置２に適正位置で装着されると、複数の属性領域と、第一指示領域１６０の指示領域１６１、１６２、及び第二指示領域１７０の指示領域１７１〜１７４（図８参照）とが、夫々、位置的に対応する。
【００４０】
スマートフォン１９は、ＣＰＵ４１、ＲＡＭ４２、フラッシュＲＯＭ４３、無線通信部４４、入力回路４５、出力回路４６、タッチパネル１９１、及びディスプレイ１９２を主に備える。ＣＰＵ４１はスマートフォン１９の制御を行う。ＣＰＵ４１は、ＲＡＭ４２、フラッシュＲＯＭ４３、無線通信部４４、入力回路４５、及び出力回路４６と電気的に接続している。
【００４１】
ＲＡＭ４２は種々の一時データを記憶する。無線通信部４４は、外部の電子機器と近距離無線通信を実行するためのコントローラである。入力回路４５は、ＣＰＵ４１へタッチパネル１９１からの指示を送る制御を行う。出力回路４６は、ＣＰＵ４１からの指示に応じてディスプレイ１９２に画像を表示する制御を行う。
【００４２】
フラッシュＲＯＭ４３は、ＣＰＵ４１が実行する各種プログラム、及び、読取装置２から受信したストロークデータを記憶する。スマートフォン１９は、図示外の媒体読取装置（例えば、メモリカードスロット）を備える。スマートフォン１９は、記憶媒体（例えば、メモリカード）に記憶されているプログラムを、媒体読取装置で読み取り、フラッシュＲＯＭ４３にインストールできる。スマートフォン１９は、スマートフォン１９に接続されている外部機器（図示外）又はネットワークからプログラムを受信して、フラッシュＲＯＭ４３にインストールしてもよい。
【００４３】
図３を参照して、テーブル３０１を説明する。テーブル３０１は、後述する第一実施形態及び第二実施形態に係る第一設定処理及び第二設定処理で用いられるテーブルの一例である。テーブル３０１には、電子ペン３の属性が、電子ペン３のペンＩＤ及び周波数の少なくとも一つと関連付けられて記憶される。ペンＩＤは、電子ペン３を識別するための識別情報である。ペンＩＤは、例えば、０以上の整数で示される。
【００４４】
電子ペン３の属性は、電子ペン３を用いて用紙１２０に記入された線画の属性を示す。電子ペン３の属性は、電子ペン３の機能及び色の少なくとも一方を含む。詳細には、電子ペン３の属性は、電子ペン３を用いて用紙１２０に記入された線画の機能及び色の少なくとも一つを、線画の属性として示す。電子ペン３の機能は、電子ペン３を用いて用紙１２０に記入された線画の機能を示す。電子ペン３の色は、電子ペン３を用いて用紙１２０に記入された線画の色を示す。本実施形態では、電子ペン３のペンＩＤ、周波数、機能を示すチェックＩＤ（以下、機能ＩＤという。）、及び色を示すチェックＩＤ（以下、色ＩＤという。）が関連付けられて、テーブル３０１に記憶される。
【００４５】
本実施形態では、例えば、機能ＩＤのうち、基本線機能を示す機能ＩＤは１００であり、訂正線機能を示す機能ＩＤは１０１である。基本線機能は、電子ペン３により記入された線画を基本線とする機能である。基本線は、通常の線画を示す。訂正線機能は、電子ペン３により記入された線画を訂正線とする機能である。訂正線は、削除対象とする線画を指定する線画を示す。詳細には、訂正線は、訂正線と重なる線画を、削除対象として指定する線画を示す。例えば、色ＩＤのうち、黒、赤、青、及び白を示す色ＩＤは夫々、０、１、２、及び３である。例えば、ペンＩＤ「０」、周波数「ｆ１」、機能ＩＤ「１００」、及び色ＩＤ「０」が関連付けられて、テーブル３０１に記憶される。
【００４６】
機能ＩＤが指定されていない場合、機能ＩＤは未定義とする。機能ＩＤが未定義で、ペンＩＤと周波数とが関連付けられて記憶されている場合、機能ＩＤはデフォルトを示す。本実施形態では、例えば、機能ＩＤのデフォルトは１００で、基本線を示す。色ＩＤが指定されていない場合、色ＩＤは未定義とする。色ＩＤが未定義で、ペンＩＤと周波数とが関連付けられて記憶されている場合、色ＩＤはデフォルトを示す。本実施形態では、例えば、色ＩＤのデフォルトは０で、黒を示す。なお、図３に示すテーブル３０１の項目及びテーブル３０１に記憶されている情報は例示であり、適宜変更可能である。
【００４７】
図４を参照し、用紙１２０の一例である、第一実施形態に係る用紙１２１を説明する。用紙１２１は、上下方向及び左右方向に延びる矩形状である。用紙１２１の前後両面（つまり、二つの紙面）に夫々、記入領域１２２、第一指示領域１３０、第二指示領域１４０、及び第三指示領域１５０が設けられている。記入領域１２２、第一指示領域１３０、第二指示領域１４０、及び第三指示領域１５０は、用紙１２１の紙面において互いに独立した領域である。用紙１２１の紙面が、紙媒体１００の一頁に相当する。
【００４８】
記入領域１２２は、電子ペン３を用いて、情報を示す線画を記入するための領域である。詳細には、記入領域１２２は、用紙１２１の紙面の端部に沿って上下方向及び左右方向に延びる略矩形状である。記入領域１２２は、用紙１２１における、第一指示領域１３０、第二指示領域１４０、及び第三指示領域１５０を除く領域である。例えばユーザは電子ペン３を用いて、電子化して保存したい各種情報（文字、数字、記号、図形等）を、記入領域１２２に自由に記入する。
【００４９】
第一指示領域１３０及び第二指示領域１４０は、電子ペン３を用いて、電子ペン３の属性を指定するための線画を記入可能な領域である。第一指示領域１３０は、電子ペン３の機能を指定するための線画を記入可能な領域である。第一実施形態の第一指示領域１３０は、指示領域１３１及び指示領域１３２を含む。詳細には、指示領域１３１及び指示領域１３２は夫々、用紙１２１の紙面の左上隅部に設けられたチェックボックスである。指示領域１３２は、指示領域１３１の右側に並んで設けられる。
【００５０】
第一実施形態では、指示領域１３１は、電子ペン３の機能として、基本線機能を指定するための線画を記入可能な領域である。指示領域１３２は、電子ペン３の機能として、訂正線機能を指定するための線画を記入可能な領域である。例えばユーザは、電子ペン３の機能を指定したい場合、指示領域１３１及び１３２の何れかにチェックマークを記入する。
【００５１】
第二指示領域１４０は、電子ペン３の色を指定するための線画を記入可能な領域である。第一実施形態の第二指示領域１４０は、指示領域１４１、指示領域１４２、指示領域１４３、及び指示領域１４４を含む。詳細には、指示領域１４１、１４２、１４３、及び１４４は夫々、用紙１２１の紙面の右上隅部に設けられたチェックボックスである。指示領域１４１、１４２、１４３、及び１４４は、この順で左から右に並んで設けられる。
【００５２】
第一実施形態では、指示領域１４１は、電子ペン３の色を黒と指定するための線画を記入可能な領域である。指示領域１４２は、電子ペン３の色を赤と指定するための線画を記入可能な領域である。指示領域１４３は、電子ペン３の色を青と指定するための線画を記入可能な領域である。指示領域１４４は、電子ペン３の色を白と指定するための線画を記入可能な領域である。例えばユーザは、電子ペン３の色を指定したい場合、指示領域１４１〜１４４の何れかにチェックマークを記入する。
【００５３】
第三指示領域１５０は、電子ペン３を用いて、ＲＡＭ２２に記憶されている線画データに基づくストロークデータの生成を指示するための線画を記入可能な領域である。詳細には、第三指示領域１５０は、用紙１２１の紙面の右下隅部に設けられたチェックボックスである。例えばユーザは、記入領域１２２に線画を記入した後、記入した線画を確定して保存したい場合、第三指示領域１５０にチェックマークを記入する。
【００５４】
図５及び図６を参照して、第一実施形態に係る第一設定処理及び第二設定処理について説明する。まず、ユーザは、紙媒体１００を読取装置２に適正位置で装着する。ユーザは、表表紙１１０Ｌが左読取装置２Ｌの前面に載置され、且つ、裏表紙１１０Ｒが右読取装置２Ｒの前面に載置されるように、紙媒体１００を読取装置２に装着する。この状態で、ユーザが電源スイッチを押すと、ＣＰＵ２１は、入力部２５を介して、読取装置２の電源をＯＮする操作を検出する。この場合、ＣＰＵ２１は、フラッシュＲＯＭ２３に記憶されたプログラムに基づいて動作することで、第一設定処理及び第二設定処理を開始する。第一実施形態では、ＣＰＵ２１は、第一設定処理及び第二設定処理を並行して実行する。
【００５５】
図５に示すように、第一設定処理が開始されると、ＣＰＵ２１は、電子ペン３に付与された筆圧に基づき、用紙１２１に線画が記入されている状態であるか否かを判断する（Ｓ１１）。用紙１２１に線画が記入されている状態でない場合（Ｓ１１：ＮＯ）、ＣＰＵ２１はＳ１１の処理を繰り返す。用紙１２１に線画が記入されている状態である場合（Ｓ１１：ＹＥＳ）、ＣＰＵ２１は、ペンＩＤを特定する（Ｓ１３）。詳細には、ＣＰＵ２１は、電子ペン３の周波数を取得し、取得した周波数に対応するペンＩＤを特定する。
【００５６】
Ｓ１３で取得した周波数と略同じ周波数がテーブル３０１に既に記憶されている場合、ＣＰＵ２１は、略同じ周波数と関連付けられたペンＩＤが、取得した周波数に対応するペンＩＤであると判断する。取得した周波数と略同じ周波数がテーブル３０１に記憶されていない場合、ＣＰＵ２１は、テーブル３０１に記憶されているペンＩＤのうち、周波数と関連付けられていないペンＩＤを任意に選択する。ＣＰＵ２１は、選択したペンＩＤを、取得した周波数に対応するペンＩＤと判断する。なお、周波数と関連付けられていないペンＩＤは、テーブル３０１に予め記憶されていなくてもよい。この場合、ＣＰＵ２１は、周波数と関連付けられていないペンＩＤとして、新たなペンＩＤを設定すればよい。
【００５７】
Ｓ１３を実行後、ＣＰＵ２１は、設定チェックありか否かを判断する（Ｓ１５）。線画の記入位置が第一指示領域１３０及び第二指示領域１４０の何れにもない場合、ＣＰＵ２１は、設定チェックなしと判断する（Ｓ１５：ＮＯ）。この場合、ＣＰＵ２１は処理をＳ１１に戻す。線画の記入位置が第一指示領域１３０及び第二指示領域１４０の何れかにある場合、ＣＰＵ２１は、設定チェックありと判断する（Ｓ１５：ＹＥＳ）。この場合、ＣＰＵ２１は、チェックＩＤを特定する（Ｓ１７）。詳細には、ＣＰＵ２１は、線画の記入位置が指示領域１３１、１３２、１４１〜１４４の何れにあるかを判断する。ＣＰＵ２１は、記入位置があると判断された指示領域のチェックＩＤを特定する。
【００５８】
第一実施形態では、例えば、指示領域１３１及び１３２の夫々のチェックＩＤは、機能ＩＤ「１００」及び「１０１」である。例えば、指示領域１４１、１４２、１４３、及び１４４の夫々のチェックＩＤは、色ＩＤ「０」、「１」、「２」、及び「３」である。上述の通り、本実施形態では、機能ＩＤ「１００」は基本線を示し、機能ＩＤ「１０１」は訂正線を示す。また、色ＩＤ「０」、「１」、「２」、及び「３」は夫々、黒、赤、青、及び白を示す。
【００５９】
Ｓ１７を実行後、ＣＰＵ２１は、チェックＩＤに基づき、電子ペン３の機能が指定されたか否かを判断する（Ｓ１９）。Ｓ１７で特定したチェックＩＤが機能ＩＤである場合、ＣＰＵ２１は、電子ペン３の機能が指定されたと判断する（Ｓ１９：ＹＥＳ）。この場合、ＣＰＵ２１は、Ｓ１３で特定したペンＩＤに、Ｓ１３で取得した周波数及びＳ１７で特定したチェックＩＤ（機能ＩＤ）を関連付けてテーブル３０１に記憶することで、テーブル３０１を更新する（Ｓ２１）。その後、ＣＰＵ２１は処理をＳ１１に戻す。
【００６０】
Ｓ１７で特定したチェックＩＤが機能ＩＤでない場合、ＣＰＵ２１は、電子ペン３の機能が指定されていないと判断する（Ｓ１９：ＮＯ）。この場合、チェックＩＤは色ＩＤである。従って、電子ペン３の色が指定されている。ＣＰＵ２１は、Ｓ１３で特定したペンＩＤに、Ｓ１３で取得した周波数及びＳ１７で特定したチェックＩＤ（色ＩＤ）を関連付けてテーブル３０１に記憶することで、テーブル３０１を更新する（Ｓ２３）。その後、ＣＰＵ２１は処理をＳ１１に戻す。ＣＰＵ２１は、入力部２５を介して、読取装置２の電源をＯＦＦする操作を検出すると、第一設定処理を終了する。
【００６１】
次に、図６を参照して、第二設定処理を説明する。上述の通り、第一実施形態では、ＣＰＵ２１は、第一設定処理と並行して、第二設定処理を実行する。第二設定処理が開始されると、ＣＰＵ２１は、電子ペン３に付与された筆圧に基づき、用紙１２１に線画が記入されている状態であるか否かを判断する（Ｓ３１）。用紙１２１に線画が記入されている状態でない場合（Ｓ３１：ＮＯ）、ＣＰＵ２１はＳ３１の処理を繰り返す。用紙１２１に線画が記入されている状態である場合（Ｓ３１：ＹＥＳ）、ＣＰＵ２１は、線画の記入位置が記入領域１２２にあるか否かを判断する（Ｓ３３）。
【００６２】
線画の記入位置が記入領域１２２にない場合（Ｓ３３：ＮＯ）、ＣＰＵ２１は処理をＳ３１に戻す。線画の記入位置が記入領域１２２にある場合（Ｓ３３：ＹＥＳ）、ＣＰＵ２１は、一の連続する線画毎に、線画データと、電子ペン３の周波数とを取得する（Ｓ３５）。ＣＰＵ２１は、取得した線画データと周波数とを関連付けて、ＲＡＭ２２に記憶する。Ｓ３５を実行後、ＣＰＵ２１は、第一設定処理（図５参照）で更新されたテーブル３０１を参照し、Ｓ３５で取得した線画データが示す線画の属性を決定する（Ｓ３７）。詳細には、ＣＰＵ２１は、Ｓ３５で取得した線画データが示す線画の機能及び色の少なくとも一方を決定する。
【００６３】
具体的には、ＣＰＵ２１は、ＲＡＭ２２に記憶された線画データと、その線画データに関連付けられた周波数とを取得する。ＣＰＵ２１は、フラッシュＲＯＭ２３に記憶されているテーブル３０１を参照し、取得した周波数に関連付けられたペンＩＤを特定する。ＣＰＵ２１は、特定したペンＩＤに関連付けられた機能ＩＤ及び色ＩＤを取得する。ＣＰＵ２１は、取得した機能ＩＤ及び色ＩＤに基づき、線画の機能及び色を決定する。
【００６４】
上述の通り、機能ＩＤが未定義の場合には、機能ＩＤはデフォルト（例えば、基本線）を示す。上述の通り、色ＩＤが未定義の場合には、色ＩＤはデフォルト（例えば、黒）を示す。ＣＰＵ２１は、決定した属性（機能及び色）を線画データと関連付けて、ＲＡＭ２２に記憶する。なお、テーブル３０１に、取得した周波数が記憶されていない場合、ＣＰＵ２１は、その周波数に関連付けられた線画データが示す線画の機能及び色は、デフォルト（基本線及び黒）であると決定すればよい。
【００６５】
Ｓ３７を実行後、ＣＰＵ２１は、処理をＳ３１に戻す。ＣＰＵ２１は、入力部２５を介して、読取装置２の電源をＯＦＦする操作を検出すると、第二設定処理を終了する。
【００６６】
なお、第二設定処理の実行中に、第三指示領域１５０に線画が記入された場合、ＣＰＵ２１は、ストロークデータ生成の指示を受け付けたと判断する。この場合、ＣＰＵ２１は、ＲＡＭ２２に記憶されている線画データに基づき、ストロークデータを生成する。詳細には、ストロークデータは、線画データと、線画データに関連付けられた属性の情報とを含む。ＣＰＵ２１は、生成したストロークデータを、フラッシュＲＯＭ２３に記憶する。
【００６７】
図４を参照して、第一実施形態において、読取装置２で電子ペン３の属性が決定され、線画と対応付けられる第一具体例及び第二具体例を説明する。読取装置２の電源がＯＮされた状態で、読取装置２の前面に、紙媒体１００が装着されている。
【００６８】
第一具体例では、ユーザは、一つの電子ペン３を用いる。ユーザは、電子ペン３を用いて、指示領域１４３にチェックマークを記入する。読取装置２は、ペンＩＤ（例えば、０）及び指示領域１４３のチェックＩＤ（色ＩＤ）「２」を特定し、テーブル３０１を更新する（Ｓ１１：ＹＥＳ、Ｓ１３、Ｓ１５：ＹＥＳ、Ｓ１７、Ｓ１９：ＮＯ、Ｓ２３）。この場合、例えば、ペンＩＤ「０」に、取得された周波数「ｆ１」及び色ＩＤ「２」が関連付けられて、テーブル３０１に記憶される。その後、ユーザは電子ペン３を用いて、記入領域１２２に「１２３」を示す線画２０１を記入する。読取装置２では、線画２０１を示す線画データが取得される（Ｓ３１：ＹＥＳ、Ｓ３３：ＹＥＳ、Ｓ３５）。読取装置２は、テーブル３０１を参照して、線画２０１の属性（色）を青と決定する（Ｓ３７）。
【００６９】
次に、ユーザは、電子ペン３を用いて、指示領域１３１及び１４１にチェックマークを記入する。読取装置２は、ペンＩＤ「０」、指示領域１３１のチェックＩＤ（機能ＩＤ）「１００」、及び指示領域１４１のチェックＩＤ（色ＩＤ）「０」を特定し、テーブル３０１を更新する（Ｓ１１：ＹＥＳ、Ｓ１３、Ｓ１５、Ｓ１７、Ｓ１９：ＹＥＳ、Ｓ２１、Ｓ１１：ＹＥＳ、Ｓ１３、Ｓ１５、Ｓ１７、Ｓ１９：ＮＯ、Ｓ２３）。この場合、例えば、ペンＩＤ「０」に、周波数「ｆ１」、機能ＩＤ「１００」、及び色ＩＤ「０」が関連付けられて、テーブル３０１に記憶される。つまり、ペンＩＤ「０」の属性の情報が更新される。
【００７０】
その後、ユーザは電子ペン３を用いて、記入領域１２２に「ＡＢＣ」を示す線画２０２を記入する。読取装置２では、線画２０２を示す線画データが取得される（Ｓ３１：ＹＥＳ、Ｓ３３：ＹＥＳ、Ｓ３５）。読取装置２は、テーブル３０１を参照して、線画２０２の属性（機能及び色）を、基本線及び黒と決定する（Ｓ３７）。
【００７１】
次に、ユーザは、電子ペン３を用いて、指示領域１３２にチェックマークを記入する。読取装置２は、ペンＩＤ「０」及び指示領域１３２のチェックＩＤ（機能ＩＤ）「１０１」を特定し、テーブル３０１を更新する（Ｓ１１：ＹＥＳ、Ｓ１３、Ｓ１５、Ｓ１７、Ｓ１９：ＹＥＳ、Ｓ２１）。この場合、例えば、ペンＩＤ「０」に、周波数「ｆ１」、機能ＩＤ「１０１」、及び色ＩＤ「０」が関連付けられて、テーブル３０１に記憶される。つまり、ペンＩＤ「０」の属性の情報が更新される。
【００７２】
その後、ユーザは電子ペン３を用いて、記入領域１２２において、線画２０２に重ねて、横線を示す線画２０３を記入する。読取装置２では、線画２０３を示す線画データが取得される（Ｓ３１：ＹＥＳ、Ｓ３３：ＹＥＳ、Ｓ３５）。読取装置２は、テーブル３０１を参照して、線画２０３の属性（機能及び色）を訂正線及び黒と決定する（Ｓ３７）。
【００７３】
第二具体例では、ユーザは、複数の電子ペン３を用いる。ユーザは電子ペン３を用いて、指示領域１４３にチェックマークを記入する。読取装置２は、ペンＩＤ（例えば、０）及び指示領域１４３のチェックＩＤ（色ＩＤ）「２」を特定し、テーブル３０１を更新する（Ｓ１１：ＹＥＳ、Ｓ１３、Ｓ１５：ＹＥＳ、Ｓ１７、Ｓ１９：ＮＯ、Ｓ２３）。この場合、例えば、ペンＩＤ「０」に、取得された周波数「ｆ１」及び色ＩＤ「２」が関連付けられて、テーブル３０１に記憶される。その後、ユーザは、同じ電子ペン３を用いて、記入領域１２２に「１２３」を示す線画２０１を記入する。読取装置２では、線画２０１を示す線画データが取得される（Ｓ３１：ＹＥＳ、Ｓ３３：ＹＥＳ、Ｓ３５）。読取装置２は、テーブル３０１を参照して、線画２０１の属性（色）を青と決定する（Ｓ３７）。
【００７４】
次に、ユーザは、線画２０１を記入した時に用いた電子ペン３とは異なる電子ペン３を用いて、指示領域１３１及び１４１にチェックマークを記入する。読取装置２は、ペンＩＤ（例えば、１）、指示領域１３１のチェックＩＤ（機能ＩＤ）「１００」、及び指示領域１４１のチェックＩＤ（色ＩＤ）「０」を特定し、テーブル３０１を更新する（Ｓ１１：ＹＥＳ、Ｓ１３、Ｓ１５、Ｓ１７、Ｓ１９：ＹＥＳ、Ｓ２１、Ｓ１１：ＹＥＳ、Ｓ１３、Ｓ１５、Ｓ１７、Ｓ１９：ＮＯ、Ｓ２３）。この場合、例えば、ペンＩＤ「１」に、取得された周波数「ｆ２」、機能ＩＤ「１００」、及び色ＩＤ「０」が関連付けられて、テーブル３０１に記憶される。つまり、指示領域１３１及び１４１にチェックマークを記入した時に用いた電子ペン３には、指示領域１４３にチェックマークを記入した時に用いた電子ペン３とは別のペンＩＤが付与される。
【００７５】
その後、ユーザは、指示領域１３１及び１４１にチェックマークを記入した時に用いた電子ペン３を用いて、記入領域１２２に「ＡＢＣ」を示す線画２０２を記入する。読取装置２では、線画２０２を示す線画データが取得される（Ｓ３１：ＹＥＳ、Ｓ３３：ＹＥＳ、Ｓ３５）。読取装置２は、テーブル３０１を参照して、線画２０２の属性（機能及び色）を、基本線及び黒と決定する（Ｓ３７）。
【００７６】
次に、ユーザは、線画２０１及び２０２を記入した時に用いた電子ペン３とは異なる電子ペン３を用いて、指示領域１３２にチェックマークを記入する。読取装置２は、ペンＩＤ（例えば、２）及び指示領域１３２のチェックＩＤ（機能ＩＤ）「１０１」を特定し、テーブル３０１を更新する（Ｓ１１：ＹＥＳ、Ｓ１３、Ｓ１５、Ｓ１７、Ｓ１９：ＹＥＳ、Ｓ２１）。この場合、例えば、ペンＩＤ「２」に、取得された周波数「ｆ３」及び機能ＩＤ「１０１」が関連付けられて、テーブル３０１に記憶される。つまり、指示領域１３２にチェックマークを記入した時に用いた電子ペン３には、指示領域１４３を記入した時に用いた電子ペン３及び指示領域１３１及び１４１にチェックマークを記入した時に用いた電子ペン３とは別のペンＩＤが付与される。
【００７７】
その後、ユーザは、線画２０３を記入した時に用いた電子ペン３を用いて、記入領域１２２において、線画２０２に重ねて、横線を示す線画２０３を記入する。読取装置２では、線画２０３を示す線画データが取得される（Ｓ３１：ＹＥＳ、Ｓ３３：ＹＥＳ、Ｓ３５）。読取装置２は、テーブル３０１を参照して、線画２０３の属性（機能）を訂正線と決定する（Ｓ３７）。
【００７８】
第一具体例及び第二具体例において、ユーザは、記入領域１２２への情報の記入及び属性の指定を終えると、電子ペン３を用いて、第三指示領域１５０にチェックマークを記入する。読取装置２は、ＲＡＭ２２に記憶されている線画データに基づき、ストロークデータを生成し、フラッシュＲＯＭ２３に記憶する。ストロークデータは、線画データと、線画データに関連付けられた属性の情報とを含む。従って、記入領域１２２に記入された線画と、線画の属性とが確定する。
【００７９】
図７を参照し、第二実施形態に係るペン設定シートの一例である、表表紙１１０Ｌの裏面１１１を説明する。ペン設定シートは、電子ペン３の属性を予め設定するために用いられる図柄が印刷された面である。なお、ペン設定シートは、表表紙１１０Ｌの表面、裏表紙１１０Ｒの表面、裏表紙１１０Ｒの裏面、及び用紙１２０の紙面の何れであってもよい。表表紙１１０Ｌは、上下方向及び左右方向に延びる矩形状である。裏面１１１には、第一指示領域１６０、第二指示領域１７０、及び第三指示領域１８０が設けられている。第一指示領域１６０、第二指示領域１７０、及び第三指示領域１８０は、裏面１１１において互いに独立した領域である。
【００８０】
第一指示領域１６０及び第二指示領域１７０は、電子ペン３を用いて、電子ペン３の属性を指定するための線画を記入可能な領域である。電子ペン３の属性は、電子ペン３を用いて用紙１２３の記入領域１２４（図８参照）に記入された線画の属性を示す。第一指示領域１６０は、電子ペン３の機能を指定するための線画を記入可能な領域である。第二実施形態の第一指示領域１６０は、指示領域１６１及び指示領域１６２を含む。第二実施形態の指示領域１６１及び指示領域１６２は夫々、裏面１１１の左上部に設けられたチェックボックスである。指示領域１６２は、指示領域１６１の右側に並んで設けられる。
【００８１】
指示領域１６１は、第一実施形態の指示領域１３１と同様、電子ペン３の機能として、基本線機能を指定するための線画を記入可能な領域である。指示領域１６２は、第一実施形態の指示領域１３２と同様、電子ペン３の機能として、訂正線機能を指定するための線画を記入可能な領域である。例えばユーザは、電子ペン３の機能を指定したい場合、指示領域１６１及び１６２の何れかにチェックマークを記入する。
【００８２】
第二指示領域１７０は、電子ペン３の色を指定するための線画を記入可能な領域である。電子ペン３の色は、電子ペン３を用いて記入領域１２４に記入された線画の色を示す。第二実施形態の第二指示領域１７０は、指示領域１７１、指示領域１７２、指示領域１７３、及び指示領域１７４を含む。第二実施形態の指示領域１７１、１７２、１７３、及び１７４は夫々、裏面１１１の左上部において、指示領域１６１及び１６２より下側に設けられたチェックボックスである。指示領域１７１、１７２、１７３、及び１７４は、この順で左から右に並んで設けられる。
【００８３】
指示領域１７１は、電子ペン３の色として、黒を指定するための線画を記入可能な領域である。指示領域１７２は、電子ペン３の色として、赤を指定するための線画を記入可能な領域である。指示領域１７３は、電子ペン３の色として、青を指定するための線画を記入可能な領域である。指示領域１７４は、電子ペン３の色として、白を指定するための線画を記入可能な領域である。例えばユーザは、電子ペン３の色を指定したい場合、指示領域１７１〜１７４の何れかにチェックマークを記入する。
【００８４】
第三指示領域１８０は、電子ペン３を用いて、電子ペン３の属性を確定するための線画を記入可能な領域である。第二実施形態の第三指示領域１８０は、裏面１１１の右下隅部に設けられたチェックボックスである。例えばユーザは、第一指示領域１６０及び第二指示領域１７０の少なくとも何れかに線画を記入した後、指定した電子ペン３の属性を確定したい場合、第三指示領域１８０にチェックマークを記入する。
【００８５】
図８を参照し、用紙１２０の一例である、第二実施形態に係る用紙１２３を説明する。用紙１２３は、上下方向及び左右方向に延びる矩形状である。用紙１２３の前後両面（つまり、二つの紙面）に夫々、記入領域１２４及び第四指示領域１９０が設けられている。記入領域１２４及び第四指示領域１９０は、用紙１２３の紙面において互いに独立した領域である。用紙１２３の紙面が、紙媒体１００の一頁に相当する。
【００８６】
記入領域１２４は、電子ペン３を用いて、情報を示す線画を記入するための領域である。詳細には、記入領域１２４は、用紙１２３の紙面の端部に沿って上下方向及び左右方向に延びる略矩形状である。記入領域１２４は、用紙１２３における、第四指示領域１９０を除く領域である。例えばユーザは電子ペン３を用いて、電子化して保存したい各種情報（文字、数字、記号、図形等）を、記入領域１２４に自由に記入する。
【００８７】
第四指示領域１９０は、電子ペン３を用いて、ＲＡＭ２２に記憶されている線画データに基づくストロークデータの生成を指示するための線画を記入可能な領域である。詳細には、第四指示領域１９０は、用紙１２３の紙面の右下隅部に設けられたチェックボックスである。例えばユーザは、記入領域１２４に線画を記入した後、記入した線画を確定して保存したい場合、第四指示領域１９０にチェックマークを記入する。
【００８８】
図９及び図６を参照して、第二実施形態に係る第一設定処理及び第二設定処理について説明する。まず、ユーザは、紙媒体１００を読取装置２に適正位置で装着する。ユーザは、表表紙１１０Ｌが左読取装置２Ｌの前面に載置され、且つ、裏表紙１１０Ｒが右読取装置２Ｒの前面に載置されるように、紙媒体１００を読取装置２に装着する。この時、ユーザは、紙媒体１００の表表紙１１０Ｌをカバー４の袋部４Ａに差し込まず、袋部４Ａの前に載置する。ユーザは、紙媒体１００の用紙１２０を全て右読取装置２Ｒの前に載置する。これにより、左読取装置２Ｌには表表紙１１０Ｌのみが載置され、裏面１１１が左読取装置２Ｌの前に配置される。
【００８９】
この状態で、ユーザが電源スイッチを押すと、ＣＰＵ２１は、入力部２５を介して、読取装置２の電源をＯＮする操作を検出する。この場合、ＣＰＵ２１は、フラッシュＲＯＭ２３に記憶されたプログラムに基づいて動作することで、第一設定処理を開始する。
【００９０】
図９に示すように、第一設定処理が開始されると、ＣＰＵ２１は、設定モード移行の指示を受け付けたか否かを判断する（Ｓ５１）。ＣＰＵ２１は、入力部２５を介して、特殊モードスイッチを長押しする操作を検出していない場合、設定モード移行の指示を受け付けていないと判断する（Ｓ５１：ＮＯ）。この場合、ＣＰＵ２１はＳ５１の処理を繰り返す。ＣＰＵ２１は、入力部２５を介して、特殊モードスイッチを長押しする操作を検出した場合、設定モード移行の指示を受け付けたと判断する（Ｓ５１：ＹＥＳ）。
【００９１】
設定モード移行の指示を受け付けた場合（Ｓ５１：ＹＥＳ）、ＣＰＵ２１は、設定モードに移行する（Ｓ５３）。詳細には、ＣＰＵ２１は、フラッシュＲＯＭ２３から、裏面１１１に対応する位置特定テーブルを読み出し、ＲＡＭ２２に記憶する。ＣＰＵ２１は、位置特定テーブルを参照することで、検出した電子ペン３の座標点に基づき、裏面１１１における指示領域１６１、１６２、１７１〜１７４、及び第三指示領域１８０の位置を特定できる。
【００９２】
Ｓ５３を実行後、ＣＰＵ２１は、電子ペン３に付与された筆圧に基づき、裏面１１１に線画が記入されている状態であるか否かを判断する（Ｓ５５）。裏面１１１に線画が記入されている状態でない場合（Ｓ５５：ＮＯ）、ＣＰＵ２１はＳ５３の処理を繰り返す。裏面１１１に線画が記入されている状態である場合（Ｓ５５：ＹＥＳ）、ＣＰＵ２１は、第一実施形態に係る第一設定処理のＳ１３と同様に、ペンＩＤを特定する（Ｓ５７）。
【００９３】
ＣＰＵ２１は、設定チェックありか否かを判断する（Ｓ５９）。線画の記入位置が第一指示領域１６０及び第二指示領域１７０の何れにもない場合、ＣＰＵ２１は、設定チェックなしと判断する（Ｓ５９：ＮＯ）。この場合、ＣＰＵ２１は処理をＳ５３に戻す。線画の記入位置が第一指示領域１６０及び第二指示領域１７０の何れかにある場合、ＣＰＵ２１は、設定チェックありと判断する（Ｓ５９：ＹＥＳ）。この場合、ＣＰＵ２１は、チェックＩＤを特定する（Ｓ６１）。詳細には、ＣＰＵ２１は、線画の記入位置が指示領域１６１、１６２、１７１〜１７４の何れにあるかを判断する。ＣＰＵ２１は、記入位置があると判断された指示領域のチェックＩＤを特定する。
【００９４】
第二実施形態では、例えば、指示領域１６１及び１６２の夫々のチェックＩＤは、機能ＩＤ「１００」及び「１０１」である。例えば、指示領域１７１、１７２、１７３、及び１７４の夫々のチェックＩＤは、色ＩＤ「０」、「１」、「２」、及び「３」である。上述の通り、機能ＩＤ「１００」は基本線を示し、機能ＩＤ「１０１」は訂正線を示す。また、色ＩＤ「０」、「１」、「２」、及び「３」は夫々、黒、赤、青、及び白を示す。
【００９５】
Ｓ６１を実行後、ＣＰＵ２１は、第一実施形態の第一設定処理のＳ１９と同様に、チェックＩＤに基づき、電子ペン３の機能が指定されたか否かを判断する（Ｓ６３）。電子ペン３の機能が指定された場合（Ｓ６３：ＹＥＳ）、ＣＰＵ２１は、Ｓ５７で特定したペンＩＤに、Ｓ５７で取得した周波数及びＳ６１で特定したチェックＩＤ（機能ＩＤ）を関連付けてテーブル３０１に記憶することで、テーブル３０１を更新する（Ｓ６５）。
【００９６】
電子ペン３の機能が指定されていない場合（Ｓ６３：ＮＯ）、電子ペン３の色が指定されている。従って、ＣＰＵ２１は、Ｓ５７で特定したペンＩＤに、Ｓ５７で取得した周波数及びＳ６１で特定したチェックＩＤ（色ＩＤ）を関連付けてテーブル３０１に記憶することで、テーブル３０１を更新する（Ｓ６７）。
【００９７】
Ｓ６５又はＳ６７を実行後、ＣＰＵ２１は、設定モード終了の指示を受け付けたか否かを判断する（Ｓ６９）。詳細には、ＣＰＵ２１は、第三指示領域１８０に線画が記入されたか否かを判断する。第三指示領域１８０に線画が記入されていない場合、ＣＰＵ２１は、設定モード終了の指示を受け付けていないと判断する（Ｓ６９：ＮＯ）。この場合、ＣＰＵ２１は、処理をＳ５５に戻す。第三指示領域１８０に線画が記入された場合、ＣＰＵ２１は、設定モード終了の指示を受け付けたと判断する（Ｓ６９：ＹＥＳ）。この場合、ＣＰＵ２１は、第一設定処理を終了する。
【００９８】
第二実施形態では、ＣＰＵ２１は、第一設定処理を終了すると、フラッシュＲＯＭ２３に記憶されたプログラムに基づいて動作することで、図６に示す第二設定処理を開始する。ユーザは、紙媒体１００の表表紙１１０Ｌをカバー４の袋部４Ａに差し込み、紙媒体１００を読取装置２に適正位置で配置する。
【００９９】
第二設定処理が開始されると、第一実施形態と同様に、ＣＰＵ２１は、電子ペン３に付与された筆圧に基づき、用紙１２３に線画が記入されている状態であるか否かを判断する（Ｓ３１）。用紙１２３に線画が記入されている状態でない場合（Ｓ３１：ＮＯ）、ＣＰＵ２１はＳ３１の処理を繰り返す。用紙１２３に線画が記入されている状態である場合（Ｓ３１：ＹＥＳ）、ＣＰＵ２１は、線画の記入位置が記入領域１２４にあるか否かを判断する（Ｓ３３）。
【０１００】
線画の記入位置が記入領域１２４にない場合（Ｓ３３：ＮＯ）、ＣＰＵ２１は処理をＳ３１に戻す。線画の記入位置が記入領域１２４にある場合（Ｓ３３：ＹＥＳ）、ＣＰＵ２１は、一の連続する線画毎に、線画データと、電子ペン３の周波数とを取得する（Ｓ３５）。ＣＰＵ２１は、取得した線画データと周波数とを関連付けて、ＲＡＭ２２に記憶する。Ｓ３５を実行後、ＣＰＵ２１は、第一設定処理（図９参照）で更新されたテーブル３０１を参照し、Ｓ３５で取得した線画データが示す線画の属性を決定する（Ｓ３７）。詳細には、ＣＰＵ２１は、Ｓ３５で取得した線画データが示す線画の機能及び色の少なくとも一方を決定する。
【０１０１】
具体的には、ＣＰＵ２１は、ＲＡＭ２２に記憶された線画データと、その線画データに関連付けられた周波数とを取得する。ＣＰＵ２１は、フラッシュＲＯＭ２３に記憶されているテーブル３０１を参照し、取得した周波数に関連付けられたペンＩＤを特定する。ＣＰＵ２１は、特定したペンＩＤに関連付けられた機能ＩＤ及び色ＩＤを取得する。ＣＰＵ２１は、取得した機能ＩＤ及び色ＩＤに基づき、線画の機能及び色を決定する。
【０１０２】
上述の通り、機能ＩＤが未定義の場合には、機能ＩＤはデフォルト（例えば、基本線）を示す。上述の通り、色ＩＤが未定義の場合には、色ＩＤはデフォルト（例えば、黒）を示す。ＣＰＵ２１は、決定した属性（機能及び色）を線画データと対応付けて、ＲＡＭ２２に記憶する。なお、テーブル３０１に、取得した周波数が記憶されていない場合、ＣＰＵ２１は、その周波数に関連付けられた線画データが示す線画の機能及び色は、デフォルト（基本線及び黒）であると決定すればよい。
【０１０３】
Ｓ３７を実行後、ＣＰＵ２１は、処理をＳ３１に戻す。ＣＰＵ２１は、入力部２５を介して、読取装置２の電源をＯＦＦする操作を検出すると、第二設定処理を終了する。
【０１０４】
図７及び図８を参照して、第二実施形態において、読取装置２で電子ペン３の属性が決定され、線画と対応付けられる第三具体例を説明する。読取装置２の電源がＯＮされた状態で、読取装置２の前面に、紙媒体１００が装着されている。左読取装置２Ｌには表表紙１１０Ｌのみが載置され、裏面１１１が左読取装置２Ｌの前に配置されている。ユーザが特殊モードスイッチを長押しすると、読取装置２は設定モードに移行する（Ｓ５１：ＹＥＳ、Ｓ５３）。
【０１０５】
第三具体例では、ユーザは、複数の電子ペン３を用いる。ユーザは電子ペン３を用いて、指示領域１６１にチェックマークを記入する。読取装置２は、ペンＩＤ（例えば、０）及び指示領域１６１のチェックＩＤ（機能ＩＤ）「１００」を特定し、テーブル３０１を更新する（Ｓ５５：ＹＥＳ、Ｓ５７、Ｓ５９：ＹＥＳ、Ｓ６１、Ｓ６３：ＹＥＳ、Ｓ６５）。この場合、例えば、ペンＩＤ「０」に、取得された周波数「ｆ１」及び機能ＩＤ「１００」が関連付けられて、テーブル３０１に記憶される。
【０１０６】
その後、ユーザは、同じ電子ペン３を用いて、指示領域１７１にチェックマークを記入する。読取装置２は、ペンＩＤ（例えば、０）及び指示領域１７１のチェックＩＤ（色ＩＤ）「０」を特定し、テーブル３０１を更新する（Ｓ６９：ＮＯ、Ｓ５５：ＹＥＳ、Ｓ５７、Ｓ５９：ＹＥＳ、Ｓ６１、Ｓ６３：ＮＯ、Ｓ６７）。この場合、例えば、ペンＩＤ「０」に、周波数「ｆ１」、機能ＩＤ「１００」、及び色ＩＤ「０」が関連付けられて、テーブル３０１に記憶される。
【０１０７】
次に、ユーザは、指示領域１７１にチェックマークを記入した時に用いた電子ペン３とは異なる電子ペン３を用いて、指示領域１６２にチェックマークを記入する。読取装置２は、ペンＩＤ（例えば、１）及び指示領域１６２のチェックＩＤ（機能ＩＤ）「１０１」を特定し、テーブル３０１を更新する（Ｓ６９：ＮＯ、Ｓ５５：ＹＥＳ、Ｓ５７、Ｓ５９：ＹＥＳ、Ｓ６１、Ｓ６３：ＹＥＳ、Ｓ６５）。この場合、例えば、ペンＩＤ「１」に、取得された周波数「ｆ２」及び機能ＩＤ「１０１」が関連付けられて、テーブル３０１に記憶される。
【０１０８】
その後、ユーザは、同じ電子ペン３を用いて、第三指示領域１８０にチェックマークを記入する。読取装置２は、設定モード終了の指示を受け付けたと判断し（Ｓ６９：ＹＥＳ）、設定モードを終了する。この場合、ペンＩＤ「０」の電子ペン３の属性は、基本線及び黒である。ペンＩＤ「１」の電子ペン３の属性は、訂正線である。
【０１０９】
ユーザは、表表紙１１０Ｌをカバー４の袋部４Ａに差し込み、紙媒体１００を読取装置２に適正位置で配置する。ユーザは、ペンＩＤ「０」の電子ペン３を用いて、用紙１２３の記入領域１２４に「１２３」を示す線画２０６を記入する。読取装置２では、線画２０６を示す線画データが取得される（Ｓ３１：ＹＥＳ、Ｓ３３：ＹＥＳ、Ｓ３５）。読取装置２は、テーブル３０１を参照して、電子ペン３のペンＩＤ「０」に基づき、線画２０６の属性（機能及び色）を基本線及び黒と決定する（Ｓ３７）。
【０１１０】
ユーザは、ペンＩＤ「１」の電子ペン３を用いて、線画２０６のうち、削除したい線画「３」に重ねて、横線を示す線画２０７を記入する。読取装置２では、線画２０７を示す線画データが取得される（Ｓ３１：ＹＥＳ、Ｓ３３：ＹＥＳ、Ｓ３５）。読取装置２は、テーブル３０１を参照して、ペンＩＤ「１」に基づき、線画２０７の属性（機能）を訂正線と決定する（Ｓ３７）。ここで、テーブル３０１において、ペンＩＤ「１」に関連付けられた色ＩＤは未定義である。従って、色ＩＤはデフォルトの黒を示す。
【０１１１】
ユーザは、記入領域１２４への情報の記入を終えると、電子ペン３を用いて、第四指示領域１９０にチェックマークを記入する。読取装置２は、ＲＡＭ２２に記憶されている線画データに基づき、ストロークデータを生成し、フラッシュＲＯＭ２３に記憶する。ストロークデータは、線画データと、線画データに関連付けられた属性の情報とを含む。従って、記入領域１２４に記入された線画と、線画の属性とが確定する。
【０１１２】
第一実施形態及び第二実施形態において、スマートフォン１９で読取装置２のストロークデータを取得する指示が入力された場合、ＣＰＵ４１は、無線通信部４４を介して読取装置２との間で近距離無線通信を実行する。読取装置２のフラッシュＲＯＭ２３に記憶されているストロークデータは、読取装置２からスマートフォン１９に転送される。ＣＰＵ４１は、読取装置２から転送されたストロークデータを、ＲＡＭ４２又はフラッシュＲＯＭ４３に記憶する。なお、読取装置２からスマートフォン１９にストロークデータが転送される場合の通信は、無線通信に限定されず、有線通信であってもよい。
【０１１３】
ＣＰＵ４１は、ＲＡＭ４２又はフラッシュＲＯＭ４３に記憶したストロークデータに基づき画像データを生成する。ＣＰＵ４１は、生成した画像データに基づく画像を、ディスプレイ１９２に表示できる。ここで、ストロークデータに含まれる線画データが示す線画は、線画の属性に従って、ディスプレイ１９２に表示される。訂正線の線画は、ディスプレイ１９２に表示されない。訂正線と重なる基本線の線画も、ディスプレイ１９２に表示されない。訂正線と重ならない基本線の線画が、指定された色で、ディスプレイ１９２に表示される。つまり、ＣＰＵ２１は、ストロークデータに含まれる、訂正線と重ならない基本線の線画を示す線画データと、その属性とに基づいて、画像データを生成する。
【０１１４】
第一具体例及び第二具体例では、ディスプレイ１９２に、「１２３」を示す線画２０１のみが青色で表示される。第三具体例では、ディスプレイ１９２に、線画２０６のうち「１２」を示す線画のみが黒色で表示される。第一具体例及び第二具体例で、線画２０３の記入及び線画２０３の属性の指定が行われなかった場合には、ディスプレイ１９２に、線画２０１が青色で、「ＡＢＣ」を示す線画２０２が黒色で表示される。
【０１１５】
ＣＰＵ４１は、表示対象の線画（基本線）を示す線画データ又は線画データに基づく画像データに対して、周知の認識アルゴリズムに従い、文字データベースとのパターンマッチングを行うことにより、文字認識を行ってもよい。
【０１１６】
なお、ＣＰＵ２１は、訂正線の線画を示す線画データと、訂正線と重なる基本線の線画を示す線画データとを、ストロークデータに含めなくてもよい。この場合、ストロークデータに含まれる線画データは、訂正線と重ならない基本線の線画を示す線画データのみである。従って、ＣＰＵ４１は、ストロークデータに基づき画像データを生成する場合に、どの線画データに基づいて画像データを生成するかを判断する必要がない。
【０１１７】
以上説明したように、上記実施形態によれば、ＣＰＵ２１は、電子ペン３の周波数を取得して、ペンＩＤを特定する（図５のＳ１３、図９のＳ５５）。第一実施形態では、第一指示領域１３０及び第二指示領域１４０の少なくとも一方に線画が記入された場合に、ＣＰＵ２１は、線画が記入された指示領域を特定し、チェックＩＤを特定する（図５のＳ１５：ＹＥＳ、Ｓ１７）。第二実施形態では、第一指示領域１６０及び第二指示領域１７０の少なくとも一方に線画が記入された場合に、ＣＰＵ２１は、線画が記入された指示領域を特定し、チェックＩＤを特定する（図９のＳ５９：ＹＥＳ、Ｓ６１）。上記実施形態では、ＣＰＵ２１は、特定したペンＩＤと、特定した指示領域に対応する属性とを関連付けて、フラッシュＲＯＭ２３に記憶する（図５のＳ２１、Ｓ２３、図９のＳ６５、Ｓ６７）。
【０１１８】
従って、第一実施形態では、ユーザは、第一指示領域１３０及び第二指示領域１４０の少なくとも一方の指示領域に電子ペン３でチェックマークを記入することにより、電子ペン３の属性を任意に指定できる。第二実施形態では、ユーザは、第一指示領域１６０及び第二指示領域１７０の少なくとも一方の指示領域に電子ペン３でチェックマークを記入することにより、電子ペン３の属性を任意に指定できる。
【０１１９】
上記実施形態では、ＣＰＵ２１は、用紙１２０の記入領域に記入された線画を示す線画データを取得する（図６のＳ３５）。電子ペン３の属性は、線画の機能及び色の少なくとも一つを、線画の属性として示す。ＣＰＵ２１は、取得した線画データと、フラッシュＲＯＭ２３に関連付けられて記憶されたペンＩＤ及び属性とに基づいて、線画データが示す線画の属性を決定する（図６のＳ３７）。従って、ユーザは、ユーザが記入した線画の属性を任意に指定できる。例えば、ユーザは、電子ペン３のインクの色と異なる色を、線画の色として指定することも可能である。
【０１２０】
第一実施形態では、紙媒体１００が読取装置２に適正位置で装着されると、複数の属性領域と、指示領域１３１、１３２、１４１〜１４４とが、夫々、位置的に対応する。第二実施形態では、紙媒体１００が読取装置２に適正位置で装着されると、複数の属性領域と、指示領域１６１、１６２、１７１〜１７４とが、夫々、位置的に対応する。従って、ユーザは、電子ペン３を用いて、紙媒体１００に設けられた指示領域にチェックマークを記入することにより、電子ペン３の属性を指定できる。
【０１２１】
第一実施形態では、記入領域１２２に記入された線画の属性が決定された後（Ｓ３７）、第一指示領域１３０及び第二指示領域１４０の少なくとも一方に線画が記入されると、特定したペンＩＤと、特定した指示領域に対応する属性とが関連付けられて、フラッシュＲＯＭ２３に記憶される（Ｓ１１：ＹＥＳ、Ｓ１３、Ｓ１５：Ｓ１７、Ｓ１９：ＹＥＳ、Ｓ２１又はＳ２３）。そして、記入領域１２２に新たに線画が記入されると、新たに記入された線画の線画データが取得され、線画の属性が決定される（Ｓ３１：ＹＥＳ、Ｓ３３：ＹＥＳ、Ｓ３５、Ｓ３７）。従って、ユーザは、線画を記入する度に、線画の属性を指定できる。
【０１２２】
第二実施形態では、ＣＰＵ２１は、第二設定処理開始の指示を受け付けた場合（Ｓ５１：ＹＥＳ）、設定モードに移行し（Ｓ５３）、ペンＩＤを特定する（Ｓ５７）。そして、第一指示領域１６０及び第二指示領域１７０の少なくとも一方に線画が記入された場合に、ＣＰＵ２１は、線画が記入された指示領域を特定する（Ｓ５９：ＹＥＳ、Ｓ６１）。ＣＰＵ２１は、特定したペンＩＤと、特定した指示領域に対応する属性とを関連付けて、フラッシュＲＯＭ２３に記憶する（Ｓ６５、Ｓ６７）。従って、ユーザは、設定モードに移行する指示を読取装置２に入力した場合に、電子ペン３の属性を指定できる。
【０１２３】
上記実施形態では、複数の電子ペン３を用いることができる。この場合、ＣＰＵ２１は、複数の電子ペン３の夫々の周波数を取得して、複数の電子ペン３の夫々のペンＩＤを特定する。ＣＰＵ２１は、複数の電子ペン３の夫々について、線画が記入された指示領域を特定する。ＣＰＵ２１は、複数の電子ペン３の夫々について、特定したペンＩＤと、特定した指示領域に対応する属性とを関連付けて、テーブル３０１に記憶する。テーブル３０１は、フラッシュＲＯＭ２３に記憶される。ＣＰＵ２１は、テーブル３０１を参照することにより、複数の電子ペン３の夫々の属性を判断できる。
【０１２４】
本発明は上記実施形態に限定されるものではなく、種々の変更が可能である。電子ペン３の属性は、上記実施形態に限定されない。電子ペン３の機能は、線画の装飾を含んでもよい。線画の装飾の一例は、太線（ボールド）である。電子ペン３の機能として太線が指定された場合、線画は、通常より太い線を示す。
【０１２５】
図４に示す用紙１２１における記入領域１２２、第一指示領域１３０、第二指示領域１４０、及び第三指示領域１５０の位置、形状、サイズなどは、上記実施形態に限定されない。例えば、第一指示領域１３０の指示領域１３１及び１３２が、用紙１２１の左上隅部又は右上隅部に上下に並んで設けられてもよい。例えば、第二指示領域１４０の指示領域１４１〜１４４が、用紙１２１の左下隅部又は右下隅部に上下に並んで設けられてもよい。
【０１２６】
図７に示す裏面１１１における第一指示領域１６０、第二指示領域１７０、及び第三指示領域１８０の位置、形状、サイズなどは、上記実施形態に限定されない。例えば、第二指示領域１７０の指示領域１７１〜１７４は、裏面１１１の右上部に左右に並んで設けられてもよい。図８に示す用紙１２３における記入領域１２４及び第四指示領域１９０の位置、形状、サイズなどは、上記実施形態に限定されない。例えば、第四指示領域１９０は、左上隅部、左下隅部、及び右上隅部の何れかに設けられてもよい。
【０１２７】
第一実施形態に係る第一設定処理のＳ１３では、ＣＰＵ２１は、Ｓ１３で、電子ペン３の周波数を取得し、取得した周波数に対応するペンＩＤを特定する。第二実施形態に係る第一設定処理では、ＣＰＵ２１は、Ｓ５７で、電子ペン３の周波数を取得し、取得した周波数に対応するペンＩＤを特定する。しかしながら、電子ペン３は、周波数をペンＩＤとして特定してもよい。この場合、テーブル３０１は、ペンＩＤの項目を含まなくてもよい。この場合でも、ユーザは、属性領域に対応する指示領域に電子ペン３でチェックマークを記入することにより、電子ペン３の属性を任意に指定できる。
【０１２８】
第二実施形態に係る第一設定処理では、ＣＰＵ２１は、入力部２５を介して、特殊モードスイッチを長押しする操作を検出したか否かに基づき、設定モード移行の指示を受け付けたか否かを判断する（Ｓ５１）。しかしながら、設定モード移行の指示は、他の方法で行われてもよい。例えば、ＣＰＵ２１は、検出された電子ペン３の位置が検出領域の所定の領域にある場合に、設定モード移行の指示を受け付けたと判断してもよい。
【０１２９】
第一実施形態の第一設定処理（図５参照）、第二実施形態の第一設定処理（図９参照）、及び第二設定処理（図６参照）は夫々、ＣＰＵ２１以外の電子部品（例えば、ＡＳＩＣ）によって実行されてもよい。第一実施形態の第一設定処理、第二設定処理、及び第二実施形態の第一設定処理、第二設定処理は、複数の電子機器（つまり、複数のＣＰＵ）によって分散処理されてもよい。
【０１３０】
上記実施形態において、読取装置２が、本発明の「情報入力装置」に相当する。電子ペン３が、本発明の「筆記具」に相当する。周波数及びペンＩＤの少なくとも一つが、本発明の「識別情報」に相当する。センサ基板７Ｌ、７Ｒ、及び、センサ制御基板２８、２９が、本発明の「検出手段」に相当する。
【０１３１】
図５に示す第一実施形態に係る第一設定処理のＳ１３を実行するＣＰＵ２１及び図９に示す第二実施形態に係る第一設定処理のＳ５７を実行するＣＰＵ２１が、本発明の「第一特定手段」に相当する。第一実施形態に係る第一設定処理のＳ１５、Ｓ１７を実行するＣＰＵ２１及び第二実施形態に係る第一設定処理のＳ５９、Ｓ６１を実行するＣＰＵ２１が、本発明の「第二特定手段」に相当する。第一実施形態に係る第一設定処理のＳ２１、Ｓ２３を実行するＣＰＵ２１及び第二実施形態に係る第一設定処理のＳ６５、Ｓ６７を実行するＣＰＵ２１が、本発明の「生成手段」に相当する。
【０１３２】
図６に示す第二設定処理のＳ３５を実行するＣＰＵ２１が、本発明の「取得手段」に相当する。第二設定処理のＳ３７を実行するＣＰＵ２１が、本発明の「決定手段」に相当する。第二実施形態に係る第一設定処理のＳ５１を実行するＣＰＵ２１が、本発明の「判断手段」に相当する。フラッシュＲＯＭ２３が、本発明の「記憶手段」に相当する。
【０１３３】
Ｓ１３の処理及びＳ５７の処理が、本発明の「第一特定ステップ」に相当する。Ｓ１５、Ｓ１７の処理及びＳ５９、Ｓ６１の処理が、本発明の「第二特定ステップ」に相当する。Ｓ２１、Ｓ２３の処理及びＳ６５、Ｓ６７の処理が、本発明の「生成ステップ」に相当する。
【符号の説明】
【０１３４】
２    読取装置
２Ｌ    左読取装置
２Ｒ    右読取装置
３    電子ペン
７Ｌ    センサ基板
７Ｒ    センサ基板
２１    ＣＰＵ
２３    フラッシュＲＯＭ
２８    センサ制御基板
２９    センサ制御基板
１００    紙媒体
１１１    裏面
１２０    用紙
１２１    用紙
１２３    用紙
１３０    第一指示領域
１３１    指示領域
１３２    指示領域
１４０    第二指示領域
１４１    指示領域
１４２    指示領域
１４３    指示領域
１４４    指示領域
１６０    第一指示領域
１６１    指示領域
１６２    指示領域
１７０    第二指示領域
１７１    指示領域
１７２    指示領域
１７３    指示領域
１７４    指示領域
２０１    線画
２０２    線画
２０３    線画
２０６    線画
２０７    線画
３０１    テーブル
【図１】
2016189098.tif 000003
【図２】
2016189098.tif 000004
【図３】
2016189098.tif 000005
【図４】
2016189098.tif 000006
【図５】
2016189098.tif 000007
【図６】
2016189098.tif 000008
【図７】
2016189098.tif 000009
【図８】
2016189098.tif 000010
【図９】
2016189098.tif 000011